(57)【要約】【課題】加熱可能な送風機全体の新規導入コストを低減する。【解決手段】加熱部１６が、送風機の本体部６側に着脱自在に接続され、送風機の本体部６側から送風される空気を受け入れる取付口１３と、送風機の本体部６側から受け入れた空気を加熱する熱源体７と、熱源体７によって加熱された空気を排出する加熱部送風口４と、熱源体７に電力を供給するとともに送風機本体部６に電気的に接続された加熱部電源線１２と、を備え、必要に応じて汎用送風機の先端ノズルを取り外して装着し、加熱送風機１００として使用できるようにした。【選択図】図１
2015064142.tif 000002
【特許請求の範囲】
【請求項１】
送風機の本体側に接続され、前記本体側から送風される空気を受け入れる取付口と、
前記送風機本体側から受け入れた空気を加熱する熱源体と、
前記熱源体によって加熱された空気を排出する排気口と、
外部から前記熱源体に電力を供給するとともに送風機本体に電気的に接続された給電手段と、
を備えた加熱装置。
【請求項２】
請求項１に記載の加熱装置であって、
前記排気口に先端ノズルが接続されることを特徴とする加熱装置。
【請求項３】
請求項１又は２に記載の加熱装置であって、
前記熱源体の発熱量を調整する調整手段を備えたことを特徴とする加熱装置。
【請求項４】
請求項３に記載の加熱装置であって、
前記調整手段が、前記熱源体が収納された筐体の外面に設けられていることを特徴とする加熱装置。
【請求項５】
請求項１ないし５のいずれか１項に記載の加熱装置を備えた加熱送風機。
【請求項６】
請求項５に記載の加熱送風機であって、
前記取付口と前記送風機本体の送風口と間を連結する連結部材を含むことを特徴とする加熱送風機。
【発明の詳細な説明】
【技術分野】
【０００１】
本発明は、加熱装置及び加熱送風機に係り、さらに詳しくは汎用送風機に加熱機能を持たせるための送風機用の加熱装置、及び加熱機能を備えた加熱送風機に関する。
【背景技術】
【０００２】
一般にハンディタイプの汎用送風機は、空気取り入れ口から吸入した空気を内蔵されたファンにより空気排出口より送出し、塵挨又は機器に付着した水分等を吹き飛ばすために用いられる。一方、雨水等で機器が濡れた場合、空気取り入れ口から取り入れた空気を、送風機に内蔵した熱源により加熱させ、その後にファンによって空気排出口から高温の空気として排出し、前記機器に吹き付ける加熱機能を有する汎用送風機も知られている。
【０００３】
例えば特開２００５−２６４６９８号公報（特許文献１）には、熱線付ブロア又はブロアの送風口に空気加熱器を取り付けた装置の送風口に熱風を多数の穴から放出する治具を装着し、積雪堆積物に差し込み、熱風を送風することによって融雪を加速させる装置が提案されている。
【先行技術文献】
【特許文献】
【０００４】
【特許文献１】特開２００５−２６４６９８号公報
【発明の概要】
【発明が解決しようとする課題】
【０００５】
特許文献１に記載された汎用送風機では、内蔵された熱源体により加熱した空気を吹き出して対象物に当てているが、通常使用のように加熱する必要のない対象物に空気を当てる場合、熱源体を備えている分だけ送風機の重量が重くなり、操作性が低下する。また、内蔵された熱源が故障したときに修理する場合、汎用送風機一体として修理する必要があり、修理期間中は故障した汎用送風機を使用することができなくなる。さらに、熱源が内蔵されていない汎用送風機を既に有している場合、送風機を加熱用途に使用する必要が出てきたときは、新たに熱源が内蔵されている別の汎用送風機を購入する必要がある。
【０００６】
しかし、熱源が内蔵されている汎用送風機は、熱源が内蔵されていない汎用送風機に比べて熱源とその制御回路の分だけコストが高くなる。そのため、前記用途に使用する必要があるときには、現在所有している汎用送風機よりも価格の高い加熱送風機を入手しなければならない。
【０００７】
そこで、本発明が解決しようとする課題は、加熱可能な送風機を購入する場合に、購入する送風機全体の新規購入コストを低減することにある。
【課題を解決するための手段】
【０００８】
前記課題を解決するため、本発明は、送風機本体側に接続され、送風機本体側から送風される空気を受け入れる接続手段と、前記送風機本体側から受け入れた空気を加熱する熱源体と、前記熱源体によって加熱された空気を排出する排気口と、前記熱源体に電力を供給する給電手段と、前記給電手段と前記本体部とに電気的に接続されるとともに外部の電源と連結される電源線と、を備えた加熱装置を特徴とする。なお、前記以外の課題、構成及び効果は、以下の実施形態の説明において明らかにされる。
【発明の効果】
【０００９】
本発明によれば、加熱可能な送風機を購入する場合に、購入する送風機全体の新規購入コストを低減することができる。
【図面の簡単な説明】
【００１０】
【図１】本発明の実施形態に係る加熱送風機の全体構成を示す分解斜視図である。
【図２】本発明の実施形態に係る加熱送風機の組み立て後の全体構成を示す斜視図である。
【図３】図１及び図２における加熱部の詳細を示す図である。
【発明を実施するための形態】
【００１１】
以下、図面を参照し、本発明の実施形態について説明する。  
図１は本発明の実施形態に係る加熱送風機の全体構成を示す分解斜視図、図２は本実施形態に係る加熱送風機の組み立て後の全体構成を示す斜視図、図３は図１及び図２における加熱部の詳細を示す図である。
【００１２】
図１に示すように本発明の加熱送風機１００は、送風機の本体部６、加熱部１６、連結部材１９及び先端ノズル２から基本的に構成されている。連結部材１９は、本体部６と加熱部１６とを連結し、先端ノズル２は加熱部１６の本体部６の取付部側とは逆側に取り付けられる。
【００１３】
本体部６は、送風口３、本体部操作部４、本体部持ち手５、本体部電源線１及び図示しないファンを備えている。送風口３は、外気温と同等の温度の空気をファンの回転によって発生した気流として送風する開口である。本体操作部４は送風口３から送風するために作業者が操作する部材である。本体持ち手５は本体操作部４を備え、作業者が把持する部材であり、把持した状態で本体操作部４の操作が可能となっている。本体部電源線１は、図示しない外部電源に接続され、本体部６内のファン駆動モータ及びモータを駆動する駆動回路に給電するためのものである。本体部電源線１の先端には差し込みプラグ１ａを備えている。
【００１４】
加熱部１６は、加熱部電源線１２、熱源体７、調整部８、熱源体操作部１０、加熱部送風口１４、取付口１３、加熱部持ち手９、給電部１１及び接続回路１５を備えている。
【００１５】
加熱部電源線１２は、図示しない外部電源に接続され、加熱部１６に給電する。熱源体７は、給電により発熱し、前記送風口３から送風される空気２１を加熱する。調整部８は、加熱部１６の筐体１６ｂの外面上部に設けられ、回転させることによって前記熱源体７が発生する熱量の大きさを調整するものである。調整部８は例えば熱源体７に通電する接続回路１５の一部に設けられた図示しない可変抵抗を操作するもので、調整部８を操作して可変抵抗の抵抗値を調整することにより熱源体７の発熱量を調整する。
【００１６】
熱源体操作部１０は、接続回路１５の一部に設けられたスイッチ１０ａのオン・オフ操作を作業者が実行するためのものである。この操作により熱源体７の発熱をユーザの意志で制御することができる。加熱部送風口１４は、熱源体７によって加熱された空気を排出し、送風する開口である。取付口１３は、本体部６の送風口３側に設けられ、連結部材１９が取り付けられる。加熱部持ち手９は、作業者が把持して作業するためのもので、把持しやすくするための滑り止め２３が形成されている。
【００１７】
給電部１１は取付口１３側に設けられ、本体電源線１の差し込みプラグ１ａが差し込まれるコンセントからなる。接続回路１５は、給電部１１に差し込まれた本体電源線１と加熱部電源線１２とを分岐２０で電気的に接続し、さらに熱源体７まで接続する回路である。
【００１８】
連結部材１９は取付口１３と送風口３との間に位置し、両者を連結する。連結部材１９は、送風口３に挿入される挿入部１７と、前記取付口１３が挿入される挿入口１８とを備え、送風口３と取付口１３を連通する。加熱部送風口１４には先端ノズル２が挿入される。これにより、送風口３から連結部材１９、加熱部１６及び先端ノズル２を通って本体部６のファンから送風される風が先端ノズル２の吹き出し口２ａから吹き出される。
【００１９】
なお、取付口１３を送風口３に直接挿入できる形状であれば、連結部材１９は不要である。連結部材１９は、本体部６に加熱部１６を連結するためのアタッチメントである。アタッチメントの挿入部１７及び挿入口１８の形状をそれぞれ送風口３及び取付口１３の形状に合わせたものを複数種用意しておけば、本体部６と加熱部１６の形状あるいは型式の相違に広く対応することができる。
【００２０】
図２に示すように、本実施形態における加熱送風機１００は、加熱機能を備えていない既存の汎用送風機の本体部６と先端ノズル２との間に連結部材１９を介して加熱部１６を連結して一体のものとし、加熱機能を有する送風機としたものである。
【００２１】
すなわち、本実施形態の加熱送風機１００は、既存の汎用送風機の本体部６から先端ノズル２を取り外し、連結部材１９を本体部６に装着し、連結部材１９に加熱部１６の取付口１３を連結し、加熱部送風口１４に先端ノズル２を装着するという方法で組み立てられる。組み立て後、本体部電源線１の差し込みプラグ１ａを給電部１１のコンセントに差し込んで接続する。これにより、図３に示すように外部電源へ接続する電源線は、加熱部電源線１２のみとすることができ、作業者の加熱送風機１００の操作性を向上させることができる。
【００２２】
加熱空気を先端ノズル２から送風させる場合、作業者は本体操作部４を操作して本体部６内のファンを回転させて送風口３から外気温と同等の温度の空気２１を加熱部１６に送り込む。次いで、熱源体操作部１０を操作してスイッチ１０ａをオンとし、熱源体７に通電する。この通電により、熱源体７が発熱し、空気２１は熱源体７が配置された流路１６ａを通る間に熱源体７と熱交換する。熱交換により加熱され空気は、加熱空気２２となって先端ノズル２の吹き出し口２ａから吹き出す。
【００２３】
加熱空気２２の温度は、熱源体７の発熱量を調整部８の調整操作により調整して上下させることが可能である。また、加熱部操作部１０のＯＮ−ＯＦＦ操作によっても調整可能である。
【００２４】
本実施形態のように組み立てた加熱送風機１００では、例えば右手で本体持ち手５を持ち、左手で加熱部持ち手９を掴んで吹き出し口２ａを送風箇所に向けて送風操作を行うことができる。両手で加熱送風機１００を持って目標に向けて操作できることと、右手でファンのオン・オフ、左手で熱源体７のオン・オフ操作を行うことができることから、加熱送風機１００の操作性も良く、作業者への負荷も小さなものとすることができる。
【００２５】
また、加熱部１６が不要な通常の送風操作では、加熱部１６を外して本体部６を片手で把持した状態で先端ノズル２から所望の箇所に送風することができ、この点の操作性も優れたものとなっている。
【００２６】
さらに、加熱部１６は必要な場合のみ取り付けて使用すれば良いので、１つあれば複数の本体部６に作業状況に応じて使用することができる。その際、連結部材１９を本体部６の形状や送風口３の口径に合わせて用意しておけば、型式の異なる汎用の送風機に装着可能である。
【００２７】
以上のように、本実施形態によれば、次のような効果を奏する。  
（１）  加熱部１６（加熱装置）が、本体部６（送風機の本体）側に着脱自在に接続され、本体部６側から送風される空気を受け入れる取付口１３と、本体部６側から受け入れた空気を加熱する熱源体７と、熱源体７によって加熱された空気を排出する加熱部送風口１４（排気口）と、外部から熱源体７に電力を供給するとともに本体部６に電気的に接続された加熱部電源線１２（給電手段）と、を備えているので、本体部６に着脱可能であり、１つの加熱部１６を複数の本体部６に適宜必要に応じて取り付けることができる。これにより、１つの加熱部１６の導入で加熱送風機として複数の送風機に取り付けて使用することが可能となり、加熱機能を有する送風機を購入するコストを抑えることができる。
【００２８】
また、汎用送風機に対して加熱部１６だけを購入すれば良いので、新規に加熱機能を有する送風機を購入する必要がなく、低コストで同等の機能を有する加熱送風機を取得することができる。
【００２９】
（２）  前記加熱部送風口１４（排気口）に先端ノズル２が接続されるので、本体部６のファンから吹き出した空気を加熱空気として先端ノズル２から送風することができる。その際、先端ノズル２が本体部６に取り付けられて使用される送風機であれば、先端ノズル２を取り外し、加熱部１６（加熱装置）を取り付け、その先に先端ノズル２を装着すれば、そのまま汎用の送風機を加熱送風機として使用することができる。
【００３０】
（３）  前記熱源体７の発熱量を調整する調整部８（調整手段）を備えたので、加熱温度の温度を容易に調整することができる。
【００３１】
（４）  前記調整部８（調整手段）が熱源体７を収納した筐体１６ｂの外面に設けられているので、ユーザが筐体１６ｂの外部から熱源体７の発熱量を自由に操作することができる。
【００３２】
（５）  （１）ないし（４）の加熱装置を加熱送風機１００が備えているので、前記（１）から（４）に記載された効果を奏する加熱送風機を提供することができる。
【００３３】
このように構成された加熱送風機１００では、加熱部１６が着脱可能であるため、夏季など加熱空気が不要の場合では取り外して汎用送風機のみでの送風操作が可能となる。このように加熱部１６を取り外した使用が可能であることにより、作業者の運搬特性が向上する。さらに、加熱部１６を取り外した分だけ軽量化を図ることができるので、作業者の操作性の向上も図ることができる。
【００３４】
（６）  加熱送風機１００が前記取付口１３（接続手段）と前記本体部６（送風機本体）の送風口３との間を連結する連結部材１９を含むので、形状や口径サイズの異なる複数の本体部３に取付け可能な形状あるいは口径サイズの連結部材１９を前記本体部３に合わせて用意すれば、複数の本体部３に加熱部１６を取り付けて加熱送風機１００として使用できる。これにより、加熱部１６を取り付けることができる本体部６の適用範囲若しくは取付対象機器の範囲を大きく広げることが可能である。
【００３５】
なお、前記実施形態における効果の説明では、本実施形態の各部について、特許請求の範囲における各構成要素をかっこ書きで示し、若しくは参照符号を付し、両者の対応関係を明確にした。
【００３６】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３７】
２  先端ノズル
３  送風口
４  加熱部送風口（排気口）
６  本体部（送風機の本体）
７  熱源体
８  調整部（調整手段）
１２  加熱部電源線（給電手段）
１３  取付口（接続手段）
１６  加熱部（加熱装置）
１６ｂ  筐体
１９  連結部材
１００  加熱送風機
【図１】
2015064142.tif 000003
【図２】
2015064142.tif 000004
【図３】
2015064142.tif 000005